(57)【要約】【課題】ログイン時に優先アプリの利用権限なしを示す画面を表示させずに機器を操作すること。【解決手段】情報処理装置は、認証されたユーザのプログラムの利用権限を取得する利用権限取得手段と、認証処理後に操作画面を表示するプログラムとして定められた第１のプログラムの利用権限を、認証されたユーザが有するか否か判定する利用権限判定手段と、前記利用権限判定手段において認証されたユーザが前記第１のプログラムの利用権限を有すると判定された場合に、前記第１のプログラムの操作画面を操作部に表示するよう制御する表示制御手段と、を有することを特徴とする。【選択図】図３
2019129520.tif 000002
【特許請求の範囲】
【請求項１】
認証されたユーザのプログラムの利用権限を取得する利用権限取得手段と、
認証処理後に操作画面を表示するプログラムとして定められた第１のプログラムの利用権限を、認証されたユーザが有するか否か判定する利用権限判定手段と、
前記利用権限判定手段において認証されたユーザが前記第１のプログラムの利用権限を有すると判定された場合に、前記第１のプログラムの操作画面を操作部に表示するよう制御する表示制御手段と、
を有することを特徴とする情報処理装置。
【請求項２】
前記表示制御手段は、前記利用権限判定手段において認証されたユーザが前記第１のプログラムの利用権限を有しないと判定された場合、第２のプログラムの操作画面を操作部に表示するよう制御することを特徴とする請求項１記載の情報処理装置。
【請求項３】
前記第１のプログラムは、ユーザごとに設定可能であることを特徴とする請求項２記載の情報処理装置。
【請求項４】
前記第１のプログラムがアンインストールされたとき、前記第２のプログラムが認証処理後に操作画面を表示するプログラムとして設定可能であることを特徴とする請求項３記載の情報処理装置。
【請求項５】
前記第１のプログラムがアンインストールされたとき、認証処理後に操作画面を表示するプログラムがユーザごとに設定可能であることを特徴とする請求項３記載の情報処理装置。
【請求項６】
認証されたユーザのプログラムの利用権限を取得する利用権限取得手順と、
認証処理後に操作画面を表示するプログラムとして定められた第１のプログラムの利用権限を、認証されたユーザが有するか否か判定する利用権限判定手順と、
前記利用権限判定手順において認証されたユーザが前記第１のプログラムの利用権限を有すると判定された場合に、前記第１のプログラムの操作画面を操作部に表示するよう制御する表示制御手順と、
を実行することを特徴とする情報処理方法。
【請求項７】
情報処理装置が実行可能なプログラムであって、
認証されたユーザのプログラムの利用権限を取得する利用権限取得手順と、
認証処理後に操作画面を表示するプログラムとして定められた第１のプログラムの利用権限を、認証されたユーザが有するか否か判定する利用権限判定手順と、
前記利用権限判定手順において認証されたユーザが前記第１のプログラムの利用権限を有すると判定された場合に、前記第１のプログラムの操作画面を操作部に表示するよう制御する表示制御手順と、
を前記情報処理装置に実行させることを特徴とするプログラム。
【発明の詳細な説明】
【技術分野】
【０００１】
本発明は、情報処理装置、情報処理方法及びプログラムに関する。
【背景技術】
【０００２】
ＭＦＰ（Multi Function Peripheral）、電子黒板又は電子会議システム等のオフィス等に設置されて複数のユーザに共同利用される機器において、ユーザの権限に応じて使用できる機能又はアプリケーション（以下、「アプリ」という。）の利用を制限することができるアクセス制御という技術が既に知られている。ＭＦＰ（Multi Function Peripheral）におけるアクセス制御を例にすると、コピー、ファクス、スキャナ又はプリントといった本体の機能の単位でアクセス制御を設定することができ、制限された機能を持つアプリは利用制限対象となる（例えば特許文献１）。
【０００３】
また、複数の機能からユーザが所望の機能を選択する煩わしさを改善するため、起動後にユーザ操作の起点となる画面を、ある特定のアプリの初期画面として、当該アプリを優先アプリとする技術が既に知られている。
【発明の概要】
【発明が解決しようとする課題】
【０００４】
しかしながら、従来技術においては、機器に設定されている優先アプリがログインユーザにおいて使用制限されている場合、ログイン時に利用権限なしを示す画面が表示される問題があった。
【０００５】
本発明は、上記の点に鑑みてなされたものであって、ログイン時に優先アプリの利用権限なしを示す画面を表示させずに機器を操作することを目的とする。
【課題を解決するための手段】
【０００６】
そこで上記課題を解決するため、情報処理装置は、認証されたユーザのプログラムの利用権限を取得する利用権限取得手段と、認証処理後に操作画面を表示するプログラムとして定められた第１のプログラムの利用権限を、認証されたユーザが有するか否か判定する利用権限判定手段と、前記利用権限判定手段において認証されたユーザが前記第１のプログラムの利用権限を有すると判定された場合に、前記第１のプログラムの操作画面を操作部に表示するよう制御する表示制御手段と、を有することを特徴とする。
【発明の効果】
【０００７】
ログイン時に優先アプリの利用権限なしを示す画面を表示させずに機器を操作することができる。
【図面の簡単な説明】
【０００８】
【図１】本発明の実施の形態における機器１の構成例を示す図である。
【図２】本発明の実施の形態における情報処理装置１０のハードウェア構成例を示す図である。
【図３】本発明の実施の形態における情報処理装置１０の機能構成例を示す図である。
【図４】本発明の実施の形態における表示画面の遷移を説明するための図である。
【図５】本発明の実施の形態におけるログイン時の処理を説明するためのシーケンス図（１）である。
【図６】本発明の実施の形態におけるログイン時の処理を説明するためのシーケンス図（２）である。
【図７】本発明の実施の形態におけるログイン時の処理を説明するためのフローチャートである。
【図８】本発明の実施の形態におけるユーザごとに優先アプリを設定する手順を説明するためのシーケンス図である。
【図９】本発明の実施の形態におけるユーザごとに保持される優先アプリに係るデータの例を示す図である。
【図１０】本発明の実施の形態における優先アプリを設定する手順を説明するためのフローチャートである。
【図１１】本発明の実施の形態における優先アプリのインストール状態に応じた処理を説明するためのフローチャートである。
【図１２】本発明の実施の形態における優先アプリがアンインストールされた場合の処理（１）を説明するためのシーケンス図である。
【図１３】本発明の実施の形態における優先アプリがアンインストールされた場合の処理（２）を説明するためのシーケンス図である。
【発明を実施するための形態】
【０００９】
以下、図面に基づいて本発明の実施の形態を説明する。
【００１０】
図１は、本発明の実施の形態における機器１の構成例を示す図である。図１に示されるように、本発明の実施の形態における機器１は、情報処理装置１０及び本体装置２０を有し、互いに接続されている。情報処理装置１０と本体装置２０との通信は、例えば、ＵＳＢ（Universal Serial Bus）、近距離無線通信、赤外線通信、又は、有線又は無線ＬＡＮ（Local Area Network）等のネットワークを介して行われてもよい。
【００１１】
情報処理装置１０は、ユーザインタフェースを提供する。情報処理装置１０は、例えば、スマートフォンやタブレット型端末等、単独で完結した情報処理を実行可能な装置であてよい。本実施の形態において、情報処理装置１０は、本体装置２０の操作部として機能してもよい。
【００１２】
本体装置２０は、画像形成を行う機能、画像を表示する機能、電子会議を行う機能等を提供する装置である。情報処理装置１０は、従来、本体装置２０の専用の操作部として設置されていた操作パネルの代わりに、本体装置２０に接続されてもよい。情報処理装置１０と本体装置２０とは、一台の装置として構成されてもよい。すなわち、情報処理装置１０は、本体装置２０から取り外しができなくてもよいし、取り外しができてもよい。
【００１３】
図２は、本発明の実施の形態における情報処理装置１０のハードウェア構成例を示す図である。図２に示されるように、情報処理装置１０は、ＣＰＵ１０１（Central Processing Unit）、ＲＡＭ１０２（Random Access Memory）、ＨＤＤ１０３（Hard Disk Drive）、ＲＯＭ１０４（Read Only Memory）、入力装置１０５、ドライブ装置１０６、表示装置１０７及びインタフェース装置１０８を有する。
【００１４】
ＣＰＵ１０１は、プロセッサ及び周辺回路から構成され、情報処理装置１０全体を制御する。ＲＯＭ１０４は、ＣＰＵ１０１で実行されるプログラム及び使用されるデータを格納する不揮発性の記憶装置である。ＲＡＭ１０２は、ＣＰＵ１０１で実行されるプログラムが制御を行うときのワークエリアとして使用される記憶装置である。ＨＤＤ１０３は、ＣＰＵ１０１で実行されるプログラム及び使用されるデータを格納する補助記憶装置である。ＨＤＤ１０３は、例えば、ハードディスクドライブであってもよいし、フラッシュメモリで構成される記憶装置であってもよい。
【００１５】
入力装置１０５は、ユーザ又は管理者等が各種入力操作を行うための装置である。入力装置１０５は、例えば、マウス、キーボード、タッチパネル等を含む。表示装置１０７は、ユーザ又は監視者等に対して、各種情報の表示を行う。表示装置１０７は、例えば、液晶ディスプレイであってもよいし、入力装置１０５と一体化されたタッチパネルであってもよい。ドライブ装置１０６は、記憶媒体１０６ａに対する読み取り又は書き込みを行う装置である。記憶媒体１０６ａは、例えば、ＣＤ−ＲＯＭ（Compact Disk - ROM）であってもよいし、ＤＶＤ（Digital Versatile Disk）であってもよいし、その他のメディアであってもよい。インタフェース装置１０８は、ネットワーク５を介したデータの送受信を行う通信装置である。インタフェース装置１０８は、例えば、無線ＬＡＮインタフェースであってもよいし、有線ＬＡＮインタフェースであってもよいし、その他の方式を使用する通信ネットワークとのインタフェースであってもよい。
【００１６】
なお、管理用端末２、機器３及びユーザ端末４が、図２に示される情報処理装置１０と同様のハードウェア構成を有していてもよい。
【００１７】
図３は、本発明の実施の形態における情報処理装置１０の機能構成例を示す図である。図３に示されるように、情報処理装置１０は、認証アプリ１１、ホームアプリ１２、優先アプリ１３、個人化サービス１４及びインストーラアプリ１５の各機能部を有する。これら各機能部は、情報処理装置１０において、ＣＰＵ１０１がプログラムを実行することによって実現されてもよい。また、これら各部の全部又は一部が、他の装置、例えば、ネットワーク５に接続された他の情報処理装置等において実現されてもよい。
【００１８】
認証アプリ１１は、ユーザのログインに係る処理を行う。また、認証アプリ１１は、ユーザインタフェース機能を有する。ホームアプリ１２は、ログイン通知を受けて優先アプリを起動する。また、ホームアプリ１２は、ログインユーザの権限に係る処理を行う。優先アプリ１３は、例えば、本体装置２０が有する複数の機能ごとに対応するアプリである。また優先アプリ１３は、ログインユーザの権限を参照して起動可否の判断を行う。詳細は後述する。個人化サービス１４は、ユーザごとの優先アプリに係る設定を保持する。インストーラアプリ１５は、ユーザからアンインストールの入力を受けて、アンインストールに係る制御を行う。
【００１９】
図４は、本発明の実施の形態における表示画面の遷移を説明するための図である。図４（Ａ）は、従来技術における優先アプリの利用権限がないユーザがログインした場合の表示画面の遷移を示している。優先アプリの利用権限がないユーザがログイン実行した場合、優先アプリ画面に遷移する。しかしながら、ユーザは優先アプリの利用権限がないため、機能を利用することができない旨、例えば「この機能は利用することができません」が表示される。そこで「ＯＫボタン」を押下すると、ホーム画面に遷移する。上記のように、ユーザに優先アプリの利用権限がない場合であっても優先アプリが起動するため、ユーザに要求されるホーム画面に遷移するための操作が増える。
【００２０】
一方、図４（Ｂ）は、本発明の実施の形態における優先アプリの利用権限がないユーザがログインした場合の表示画面の遷移を示している。優先アプリの利用権限がないユーザがログイン実行した場合、ホームアプリ画面に遷移する。すなわち、ユーザに優先アプリの利用権限がない場合、ホームアプリが起動するため、優先アプリの機能を利用することができない旨の表示が行われない。
【００２１】
図５は、本発明の実施の形態におけるログイン時の処理を説明するためのシーケンス図（１）である。図５は、従来技術におけるログイン時の処理を説明するためのシーケンス図である。
【００２２】
ステップＳ１０１において、ユーザは、認証アプリ１１に「ログイン実行」を入力する。続いて、認証アプリ１１は、ホームアプリ１２に「ログイン通知」を送信する（Ｓ１０２）。ホームアプリ１２は、ログインユーザの権限によらず、優先アプリ１３を起動する。すなわち、ホームアプリ１２は、優先アプリ１３に「起動要求」を送信する（Ｓ１０３）。続いて、認証アプリ１１は、優先アプリ１３に「ログインユーザの権限通知」を送信する（Ｓ１０４）。ステップＳ１０３とステップＳ１０４とは、実行される順序が逆でもよい。優先アプリ１３は、認証アプリ１１から通知されるログインユーザの権限に係る情報を参照して、ログインユーザに優先アプリ１３の利用権限がない場合は、利用できない旨の画面表示を行う。
【００２３】
図６は、本発明の実施の形態におけるログイン時の処理を説明するためのシーケンス図（２）である。図６は、本発明の実施の形態におけるログイン時の処理を説明するためのシーケンス図である。
【００２４】
ステップＳ１１１において、ユーザは、認証アプリ１１に「ログイン実行」を入力する。続いて、認証アプリ１１は、ホームアプリ１２に「ログイン通知」を送信する（Ｓ１１２）。続いて、認証アプリ１１は、ホームアプリ１２に「ログインユーザの権限通知」を送信する（Ｓ１１３）。ホームアプリ１２は、認証アプリ１１から通知されるログインユーザの権限に係る情報を参照して、ログインユーザの優先アプリ１３の利用権限に応じて、優先アプリ１３を起動するか否かを決定する。ログインユーザが優先アプリ１３の利用権限を有しない場合、ステップＳ１１４において、ホームアプリ１２は、認証アプリ１１に「ホーム画面表示」を送信する。ログインユーザが優先アプリ１３の利用権限を有する場合、ステップＳ１１５において、優先アプリ１３に「起動要求」を送信する。
【００２５】
図７は、本発明の実施の形態におけるログイン時の処理を説明するためのフローチャートである。
【００２６】
ステップＳ１２１において、情報処理装置１０は、ログイン画面表示を行う。続いて、一般ユーザ又は管理者がログインを行う（Ｓ１２２）。ステップＳ１２３において、情報処理装置１０は、ログインを行った一般ユーザ又は管理者が、優先アプリの利用権限を有するか否かを判定する。ログインを行った一般ユーザ又は管理者が優先アプリの利用権限を有する場合（Ｓ１２３のＹＥＳ）、ステップＳ１２４に進む。ログインを行った一般ユーザ又は管理者が優先アプリの利用権限を有しない場合（Ｓ１２３のＮＯ）、ステップＳ１２５に進む。
【００２７】
ステップＳ１２４において、情報処理装置１０は、優先アプリ画面を表示してフローを終了する。一方、ステップＳ１２５において、情報処理装置１０は、ホーム画面を表示してフローを終了する。
【００２８】
図８は、本発明の実施の形態におけるユーザごとに優先アプリを設定する手順を説明するためのシーケンス図である。
【００２９】
ステップＳ２０１において、ユーザは、認証アプリ１１に「ログイン実行」を入力する。続いて、認証アプリ１１は、ホームアプリ１２に「ログイン通知」を送信する（Ｓ２０２）。続いて、認証アプリ１１は、ホームアプリ１２に「ログインユーザの権限通知」を送信する（Ｓ２０３）。続いて、ホームアプリ１２は、個人化サービス１４に「優先アプリ取得要求」を送信する（Ｓ２０４）。個人化サービス１４は、ユーザごとの優先アプリ１３の利用権限に係る情報を保持する。
【００３０】
図９は、本発明の実施の形態におけるユーザごとに保持される優先アプリに係るデータの例を示す図である。図９において、個人化サービス１４がユーザごとに保持する優先アプリに係るデータの例を説明する。ユーザＩＤ（identifier）と、利用権限を有する優先アプリとが関連付けられて保持される。図９に示されるように、ユーザＩＤ「user001」は、優先アプリ「レガシーコピー」の利用権限を有する。また、図９に示されるように、ユーザＩＤ「user002」は、優先アプリ「かんたんスキャナ」の利用権限を有する。また、図９に示されるように、ユーザＩＤ「user003」は、優先アプリ「ホーム」の利用権限を有する。また、図９に示されるように、ユーザＩＤ「user004」は、優先アプリ「ブラウザ」の利用権限を有する。上記のように、各ユーザの優先アプリの利用権限に係る情報は、個人化サービス１４において保持される。
【００３１】
図８に戻る。ステップＳ２０５において、個人化サービス１４は、当該ユーザの優先アプリの利用権限に係る情報を含む「優先アプリ通知」をホームアプリ１２に送信する（Ｓ２０５）。ホームアプリ１２は、個人化サービス１４から送信される「優先アプリ通知」に含まれるログインユーザの権限に係る情報を参照して、ログインユーザの優先アプリ１３の利用権限に応じて、優先アプリ１３を起動するか否かを決定する。ログインユーザが優先アプリ１３の利用権限を有する場合、ステップＳ２１２に進む。ログインユーザが優先アプリ１３の利用権限を有しない場合、ステップＳ２０６に進む。
【００３２】
ステップＳ２０６において、ホームアプリ１２は、認証アプリ１１に「優先アプリ設定画面表示要求」を送信する。認証アプリ１１は、ユーザに「優先アプリ設定画面表示」を行う（Ｓ２０７）。続いて、ユーザは、認証アプリ１１に「優先アプリ設定」を入力する。「優先アプリ設定」は、ユーザが設定した優先アプリを示す情報を含む。続いて、認証アプリ１１は、「優先アプリ設定通知」をホームアプリ１２を介して（Ｓ２０９）個人化サービス１４に送信する（Ｓ２１０）。続いて、個人化サービス１４は、「優先アプリ設定通知」に含まれる情報に基づいて、当該ユーザに係る設定値を保持する（Ｓ２１１）。ステップＳ２１２において、個人化サービス１４は、優先アプリ１３に「起動要求」を送信し、優先アプリ１３は起動される。
【００３３】
図１０は、本発明の実施の形態における優先アプリを設定する手順を説明するためのフローチャートである。
【００３４】
ステップＳ２２１において、情報処理装置１０は、ログイン画面表示を行う。続いて、一般ユーザ又は管理者がログインを行う（Ｓ２２２）。ステップＳ２２３において、情報処理装置１０は、ログインを行った一般ユーザ又は管理者が、優先アプリの利用権限を有するか否かを判定する。ログインを行った一般ユーザ又は管理者が優先アプリの利用権限を有する場合（Ｓ２２３のＹＥＳ）、ステップＳ２２４に進む。ログインを行った一般ユーザ又は管理者が優先アプリの利用権限を有しない場合（Ｓ２２３のＮＯ）、ステップＳ２２５に進む。
【００３５】
ステップＳ２２４において、情報処理装置１０は、優先アプリ画面を表示してフローを終了する。一方、ステップＳ２２５において、情報処理装置１０は、優先アプリ設定画面を表示する。続いて、ログインを行った一般ユーザ又は管理者は、優先アプリ設定を行い（Ｓ２２６）、ステップＳ２２４に進み、優先アプリ画面が表示されてフローは終了される。
【００３６】
図１１は、本発明の実施の形態における優先アプリのインストール状態に応じた処理を説明するためのフローチャートである。
【００３７】
ステップＳ３０１において、情報処理装置１０は、ログイン画面表示を行う。続いて、一般ユーザ又は管理者がログインを行う（Ｓ３０２）。ステップＳ３０３において、情報処理装置１０は、ログインを行った一般ユーザ又は管理者が、優先アプリがインストールされているか否かを判定する。優先アプリがインストールされている場合（Ｓ３０３のＹＥＳ）、ステップＳ３０４に進む。優先アプリがインストールされていない場合（Ｓ２２３のＮＯ）、ステップＳ３０５に進む。
【００３８】
ステップＳ３０４において、情報処理装置１０は、優先アプリ画面を表示してフローを終了する。一方、ステップＳ３０５において、情報処理装置１０は、優先アプリ設定画面を表示する。続いて、ログインを行った一般ユーザ又は管理者は、優先アプリ設定を行い、優先アプリがインストールされ（Ｓ３０６）、ステップＳ３０４に進み、優先アプリ画面が表示されてフローは終了される。
【００３９】
図１２は、本発明の実施の形態における優先アプリがアンインストールされた場合の処理（１）を説明するためのシーケンス図である。
【００４０】
ステップＳ４０１において、管理者は、インストーラアプリ１５に「アプリアンインストール」を入力する。続いて、インストーラアプリ１５は、個人化サービス１４に「アプリアンインストール通知」を送信する（Ｓ４０２）。ステップＳ４０３において、個人化サービス１４は、「アプリアンインストール通知」に基づいて、アンインストールされた優先アプリを、優先アプリとして設定しているすべてのユーザの優先アプリを、ホームアプリとして更新する。
【００４１】
図１３は、本発明の実施の形態における優先アプリがアンインストールされた場合の処理（２）を説明するためのシーケンス図である。
【００４２】
ステップＳ４１１において、管理者は、インストーラアプリ１５に「アプリアンインストール」を入力する。続いて、インストーラアプリ１５は、個人化サービス１４に「アプリアンインストール通知」を送信する（Ｓ４１２）。続いて、個人化サービス１４は、認証アプリ１１に「優先アプリ設定画面表示要求」を送信する（Ｓ４１３）。続いて、認証アプリ１１は、管理者に「優先アプリ設定画面表示」を行う（Ｓ４１４）。
【００４３】
ステップＳ４１５において、管理者は、認証アプリ１１に「優先アプリ設定」を行う。優先アプリ設定画面は、アンインストールされた優先アプリを優先アプリとして設定していたユーザについて表示される。複数のユーザが、アンインストールされた優先アプリを優先アプリとして設定していた場合、管理者があるユーザの優先アプリを設定すると、次のユーザの優先アプリを設定する画面に遷移する。当該遷移を繰り返して、管理者は、アンインストールされた優先アプリを優先アプリとして設定していた複数のユーザについて、優先アプリを更新してもよい。
【００４４】
ステップＳ４１６において、認証アプリ１１は、管理者から設定された「優先アプリ設定」に基づいて、「優先アプリ設定通知」を個人化サービス１４に送信する。続いて、個人化サービス１４は、「優先アプリ設定通知」に基づいて、１又は複数のユーザの優先アプリを、ステップＳ４１５において管理者から設定された優先アプリに更新する。
【００４５】
上述のように、本発明の実施の形態によれば、情報処理装置１０は、ユーザが優先アプリの利用権限を有しない場合にホームアプリ画面を表示することができる。また、情報処理装置１０は、ユーザが優先アプリの利用権限を有しない場合に優先アプリ設定画面を表示してユーザに優先アプリの設定を促すことができる。また、情報処理装置１０は、ユーザごとに設定された優先アプリを保持することができる。また、情報処理装置１０は、ユーザが優先アプリとして設定していたアプリがアンインストールされた場合、当該ユーザの優先アプリをホームアプリに更新することができる。
【００４６】
すなわち、ログイン時に優先アプリの利用権限なしを示す画面を表示させずに機器を操作することができる。
【００４７】
上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ(Application Specific Integrated Circuit)、ＤＳＰ（digital signal processor）、ＦＰＧＡ（field programmable gate array）や従来の回路モジュール等のデバイスを含むものとする。
【００４８】
なお、本発明の実施の形態において、アプリは、プログラムの一例である。認証は、ログインに係る処理の一例である。優先アプリは、第１のプログラムの一例である。ホームアプリ１２は、利用権限取得手段又は利用権限判定手段の一例である。認証アプリ１１は、操作部又は表示制御手段の一例である。ホームアプリは、第２のプログラムの一例である。
【００４９】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００５０】
１          機器
１０        情報処理装置
２０        本体装置
１０１      ＣＰＵ
１０２      ＲＡＭ
１０３      ＨＤＤ
１０４      ＲＯＭ
１０５      入力装置
１０６      ドライブ装置
１０７      表示装置
１０８      インタフェース装置
１１        認証アプリ
１２        ホームアプリ
１３        優先アプリ
１４        個人化サービス
１５        インストーラアプリ
【先行技術文献】
【特許文献】
【００５１】
【特許文献１】特開２０１６−０１００２４号公報
【図１】
2019129520.tif 000003
【図２】
2019129520.tif 000004
【図３】
2019129520.tif 000005
【図４】
2019129520.tif 000006
【図５】
2019129520.tif 000007
【図６】
2019129520.tif 000008
【図７】
2019129520.tif 000009
【図８】
2019129520.tif 000010
【図９】
2019129520.tif 000011
【図１０】
2019129520.tif 000012
【図１１】
2019129520.tif 000013
【図１２】
2019129520.tif 000014
【図１３】
2019129520.tif 000015